(57)【要約】【課題】斜め向かい風の影響を低減するとともに、船体又は上部構造物と積載貨物で形成する水面上構成物で揚力を発生し、この揚力の船体の前後方向の成分から推力を得ることできて、船舶の推進性能を向上できる風圧抵抗の少ない船舶を提供する。【解決手段】水面上構造物２、２０の船尾側第１範囲Ｒｘ１かつ上下第１範囲Ｒｚ１における各水平断面Ｓｈ（ｚ）で、前後方向Ｘの船首方向Ｌｃに対して５０度の第１角度α１で延びる第１傾斜線Ｌ１と、８０度の第２角度α２で延びる第２傾斜線Ｌ２との間を扇形領域Ｒαとして、この扇形領域Ｒαの要の仮想点Ｐ２（ｚ）を船体中心線Ｌｃに沿って前後移動させたときに、水平断面Ｓｈ（ｚ）の外形線Ｌｓ（Ｚ）の長さの５０％以上１００％以下の長さの外形線Ｌｓ（Ｚ）が扇形領域（Ｒα）に入るような仮想点Ｐ２（ｚ）の位置があるように構成する。【選択図】図１
2019209821.tif 000002
【特許請求の範囲】
【請求項１】
航海速力が、フルード数で０．１３〜０．３０の船舶で、水面上の船体、又は、上甲板上に設けた上部構造物の少なくとも一方の水面上構造物において、
前記水面上構造物の最大幅の船尾側最後部における船体中心線上の点を第１位置とし、この第１位置と船体の最後尾との間を船尾側第１範囲とし、前記水面上構造物の上下方向の任意の連続部分での５０％以上かつ１００％以下の範囲を上下第１範囲として、
前記水面上構造物の前記船尾側第１範囲かつ前記上下第１範囲における水面に平行な各水平断面で、
船体中心線上の仮想点から船体の前後方向の船首方向に対して第１角度で延びる線を第１傾斜線とし、前記仮想点から船体の前後方向の船首方向に対して第２角度で延びる線を第２傾斜線とし、前記第１角度を５０度とし、前記第２角度を８０度とし、前記第１傾斜線と前記第２傾斜線との間を扇形領域として、前記仮想点を船体中心線上で移動させて、扇形領域を船体の前後方向に移動させたときに、
前記水平断面の外形線の長さの５０％以上１００％以下の長さの外形線が前記扇形領域に入るような前記仮想点の位置があることを特徴とする風圧抵抗の少ない船舶。
【請求項２】
前記上下第１範囲の前記各水平断面の形状において、前記船尾側第１範囲の側壁部を、凹凸の幅が前記水面上構造物の最大幅の５％以下となる滑らかな曲線状の部分、又は、凹凸の幅が前記水面上構造物の最大幅の５％以下となる直線部分、又は、両者の組み合わせで形成したことを特徴とする請求項１に記載の風圧抵抗の少ない船舶。
【請求項３】
前記水面上構造物の船尾側を形成する側壁部を、前記船尾側第１範囲かつ前記上下第１範囲において、水平面に対して３０度以上かつ９０度以下の傾斜角を有するように形成したことを特徴とする請求項１又は２に記載の風圧抵抗の少ない船舶。
【請求項４】
前記上部構造物を水面上構造物とした場合において、
前記船尾側第１範囲かつ前記上下第１範囲で、
各水平断面で前記上部構造物の側壁部の５０％以上を直線で形成して、この直線の船体中心線に対する第１角度の上下方向に関しての上下第１範囲における平均値を第１平均角度αｍとし、
前記上部構造物の下の前記船体の側壁部における前記上部構造物の前面よりも船尾側の２０％以上を直線で形成し、この直線の船体中心線に対する第３角度の上下方向に関しての船体の乾舷の範囲における平均値を第３平均角度θｍとし、角度γ１を５度としたときに、
前記第１平均角度αｍと前記第３平均角度θｍの関係を、（αｍ−γ１）≦θｍ≦（αｍ＋γ１）の関係とすることを特徴とする請求項１に記載の風圧抵抗の少ない船舶。
【請求項５】
前記船体を水面上構造物とした場合において、
前記船尾側第１範囲かつ前記上下第１範囲で、
前記水面上構造物の船尾側の３０％以上を直線で形成し、この直線の船体中心線に対する第３角度の上下方向に関しての平均値を第３平均角度θｍとし、角度γ２を２０度とし、θ１を５０度としたときに、
前記第３平均角度θｍを、（θ１−γ２）≦θｍ≦（θ１＋γ２）の関係とすることを特徴とする請求項１に記載の風圧抵抗の少ない船舶。
【発明の詳細な説明】
【技術分野】
【０００１】
本発明は、特に斜め向かい風に対する風圧抵抗の少ない船舶に関し、更に詳細には、船橋や居住区などの上部構造物の船尾側の形状を工夫することにより斜め向かい風に対する風圧抵抗を少なくした船舶に関する。
【背景技術】
【０００２】
水上を走行する商船の殆どの船舶においては、船舶の水面下の船体形状の工夫による抵抗減少や船体とプロペラと舵などの関係による推進性能の向上が進められ、また、水面付近での波による造波抵抗や砕波抵抗や反射波における抵抗減少についても船首形状や船尾形状の工夫により抵抗減少が図られている。
【０００３】
一方、水面上の空気による抵抗に関しても、空気抵抗即ち風圧抵抗への改善の要求があり、様々な努力がなされてきている。特に、乾舷が高く風圧面積が大きい自動車運搬船（自動車専用船）や積み荷の積載により風圧面積が増加するコンテナ船や上部構造部が大きい客船等は水面上の風圧面積が大きいため、風圧力の影響を受け易く、風圧抵抗の減少は省エネルギーにつながるので、大きな期待が寄せられている。
【０００４】
これに関連して、上甲板上に設けた上部構造物の船尾側の形状、または、水面上の船体の船尾側の形状の少なくとも一方の水面上構造物の形状を、この水面上構造物の上下方向の範囲のうちで少なくとも０％〜５０％の範囲における、水面に平行な各断面の形状において、最大幅Ｂの船尾側最後部を下辺とし、該下辺の長さＢ１を０．９×Ｂとし、底角θ１を４０ｄｅｇ〜８０ｄｅｇとし、上辺の長さＢ２を０．５×Ｂとする等脚台形よりも外側の範囲で、かつ、前記最大幅Ｂの船尾側最後部を底辺とし、該底辺の長さＢ３を１．２×Ｂとし、底角θ２を４０ｄｅｇ〜８０ｄｅｇとする二等辺三角形よりも内側の領域に入るように形成した風圧抵抗の少ない船舶が提案されている（例えば、特許文献１参照）。
【０００５】
この風圧抵抗の少ない船舶では、水面上の風圧面積が比較的大きく、風圧力の影響を受け易い自動車運搬船、コンテナ船、客船などの風圧力の影響を低減できて、船舶の運航性能を向上することを目的としているが、主に正面からの向かい風に関して、水面上構造物の後方において、死水領域に生じる停滞渦やカルマン渦のような流出渦の発生を防止する形状を提案している。
【０００６】
また、一方で、船の進行方向への空気力学的揚力を相対風により発生し、船殻が帆として機能するように、水面上の船穀の形状を対称形のＮＡＳＡ翼型の空中翼とし、船尾側となる後縁をカットオフして、船殻の前後方向に垂直な断面としている船殻が提案されている（例えば、特許文献２参照）。この船殻では、約１３から３９度の風のセクターで船の移動方向に作用する風力の成分が得られたとの風洞試験の結果を開示している。
【０００７】
このように、船舶の進行方向の正面からの向かい風だけではなく、船舶が航行する航路や航行時の気象条件により、斜め向かい風に対しても風圧抵抗の減少を図ることが重要視されるようになってきた。
【先行技術文献】
【特許文献】
【０００８】
【特許文献１】特開２０１１−５７０５２号公報
【特許文献２】特表２０１４−５０１１９４号公報
【発明の概要】
【発明が解決しようとする課題】
【０００９】
本発明の発明者らは、船舶の航行中においては、船舶の自身の船速と自然風の風速とが同程度の大きさになり、相対風向で考えると斜め向かい風になる確率が高いとの知見を得た。そして、斜め向かい風での風洞実験の結果等により、特に船尾における形状が風圧抵抗に大きな影響を与えることと、船舶の水面上構造物の外形の形状を工夫することで、特に帆を設けることなく、斜め向かい風のときに推力を得ることができるとの知見も得た。
【００１０】
本発明は、上記の状況を鑑みてなされたものであり、その目的は、水面上の風圧面積が比較的大きく、風圧力の影響を受け易い自動車運搬船、客船、コンテナ船、木材運搬船などにおいて、斜め向かい風の影響を低減するとともに、船体又は上部構造物とコンテナ等の積載貨物３０で形成する水面上構成物で揚力を発生し、この揚力の船体の前後方向の成分から推力を得ることできて、船舶の推進性能を向上することができる風圧抵抗の少ない船舶を提供することにある。
【課題を解決するための手段】
【００１１】
上記の目的を達成するための本発明の風圧抵抗の少ない船舶は、航海速力が、フルード数で０．１３〜０．３０の船舶で、水面上の船体、又は、上甲板上に設けた上部構造物の少なくとも一方の水面上構造物において、前記水面上構造物の最大幅の船尾側最後部における船体中心線上の点を第１位置とし、この第１位置と船体の最後尾との間を船尾側第１範囲とし、前記水面上構造物の上下方向の任意の連続部分での５０％以上かつ１００％以下の範囲を上下第１範囲として、前記水面上構造物の前記船尾側第１範囲かつ前記上下第１範囲における水面に平行な各水平断面で、船体中心線上の仮想点から船体の前後方向の船首方向に対して第１角度で延びる線を第１傾斜線とし、前記仮想点から船体の前後方向の船首方向に対して第２角度で延びる線を第２傾斜線とし、前記第１角度を５０度（θ＝４０度に対応）とし、前記第２角度を８０度（θ＝１０度に対応）とし、前記第１傾斜線と前記第２傾斜線との間を扇形領域として、前記仮想点を船体中心線上で移動させて、扇形領域を船体の前後方向に移動させたときに、前記水平断面の外形線の長さの５０％以上１００％以下の長さの外形線が前記扇形領域に入るような前記仮想点の位置があることを特徴とする。
【００１２】
また、フルード数Ｆｎは、航海速力をＶ（ｍ/ｓ）、垂線間長をＬｐｐ（ｍ）、重力加速度をｇ（ｍ／ｓ2）としたときに、Ｆｎ＝Ｖ／（Ｌｐｐ×ｇ）1/2となる。ここで、本発明の対象とする船舶のフルード数Ｆｎを０．１３〜０．３０とする理由は、フルード数Ｆｎが０．３０より大きい場合が殆どの高速の艦艇では、レーダー反射をする少なくするためのステルス技術に関して、船体全体を覆いでカバーすることがあるので、このようなステルス用のカバーと区別するためである。
【００１３】
この構成によれば、水面上の船体、又は、上甲板上に設けた上部構造物の少なくとも一方の水面上構造物の船尾形状を、片舷側の角度αが４０度（ｄｅｇｒｅｅ）〜８０度の比較的大きく開いたＶ字形状として、船尾の流れを翼の後端の流れに類似させることで、斜め向かい風の時に揚力を発生できるような形状にすることができる。
【００１４】
この形状により、斜め向かい風のときに船尾における風の抜けがよくなり、水面上構造物の後方への流れが円滑になると共に、この水面上構造物の部分が翼の機能を発揮して揚力を発生させることができ、この揚力の船体前後方向の成分により船舶の推力を得ることができる。なお、この揚力及び推力の発生は、風洞実験の結果で確認されている
また、水面上構造物の鈍角的な船尾側形状により、全長が同じ船舶であれば、容積が増えて、その分積載量が多くなるというメリットもある。
【００１５】
上記の風圧抵抗の少ない船舶において、前記上下第１範囲（Ｒｚ１）の前記各水平断面の形状において、前記船尾側第１範囲の側壁部を、凹凸の幅が前記水面上構造物の最大幅の５％以下となる滑らかな曲線状の部分、又は、凹凸の幅が前記水面上構造物の最大幅の５％以下となる直線部分、又は、両者の組み合わせで形成していると、次のような効果を得ることができる。
【００１６】
この構成によれば、この凹凸の少ない滑らかな曲線状又は直線状に形成することにより、この曲線状の部分又は直線状の部分で流れに剥離が生じて大きな渦が発生することを抑制することができる。
【００１７】
上記の風圧抵抗の少ない船舶において、前記水面上構造物の船尾側を形成する側壁部を、前記船尾側第１範囲かつ前記上下第１範囲において、水平面に対して３０度以上かつ９０度以下の傾斜角を有するように形成していると、次のような効果を得ることができる。
【００１８】
この構成によれば、この船尾側の側壁部を水平面に対して３０度以上９０度以下で傾斜させることにより、水面上構造物の船尾側を形成する船尾側上面と船側側壁部との角部で生じる渦流を抑制することができる。また、更に、この船尾側上面と船側側壁部との角部に角取り又は丸めを設けることにより、より効果的に渦流を抑制することができるようになる。
【００１９】
上記の風圧抵抗の少ない船舶において、前記上部構造物を水面上構造物とした場合において、前記船尾側第１範囲かつ前記上下第１範囲で、各水平断面で前記上部構造物の側壁部の５０％以上を直線で形成して、この直線の船体中心線に対する第１角度の上下方向に関しての上下第１範囲における平均値を第１平均角度αｍとし、前記上部構造物の下の前記船体の側壁部における前記上部構造物の前面よりも船尾側の２０％以上を直線で形成し、この船体中心線に対する第３角度の上下方向に関しての船体の乾舷の範囲における平均値を第３平均角度θｍとし、角度γ１を５度としたときに、前記第１平均角度αｍと前記第３平均角度θｍの関係を、（αｍ−γ１）≦θｍ≦（αｍ＋γ１）の関係とすると、次のような効果を発揮できる。
【００２０】
この構成によれば、この船尾側の上部構造物と船体の乾舷との間で、上下方向に流れが少なくなり、平面的な流れの維持により、上部構造物と船体のそれぞれによる翼形状の後端効果を発揮を維持でき、斜め向風における船舶全体の風圧抵抗の増加を抑制しつつ、揚力発生に起因する推進性能の向上を図ることができる。
【００２１】
上記の風圧抵抗の少ない船舶において、前記船体を水面上構造物とした場合において、前記船尾側第１範囲かつ前記上下第１範囲で、前記水面上構造物の船尾側の３０％以上を直線で形成し、この船体中心線に対する第３角度の上下方向に関しての船体の乾舷の範囲における平均値を第３平均角度θｍとし、角度γ２を２０度とし、θ１を５０度としたときに、前記第３平均角度θｍを、（θ１−γ２）≦θｍ≦（θ１＋γ２）の関係とする。
【００２２】
この構成によれば、コンテナ船等の上部構造物を船体前後方向において前方又は中間に配置しているような船舶においても、船体の船尾形状で翼形状の後端効果を発揮して、斜め向風における船舶全体の風圧抵抗の増加を抑制しつつ、揚力発生に起因する推進性能の向上を図ることができる。
【００２３】
また、コンテナ等の積載貨物３０の上甲板上への配置の仕方により、積載時の貨物の全体としての形状を船体の船尾形状に合わせたり、類似形状にしたりすることで、船体の船尾側の翼形状の後端効果に加えて、上甲板上の積載時の貨物の全体としての形状においても、翼形状の後端効果を発揮させることができるようになる。
【発明の効果】
【００２４】
本発明の風圧抵抗の少ない船舶によれば、水面上の風圧面積が比較的大きく、風圧力の影響を受け易い自動車運搬船、客船、コンテナ船、木材運搬船などにおいて、斜め向かい風の影響を低減するとともに、船体又は上部構造物とコンテナ等の積載貨物で形成する水面上構成物で揚力を発生し、この揚力の船体の前後方向の成分から推力を得ることできて、船舶の推進性能を向上することができる推力を得ることできて、船舶の推進性能を向上することができる。その結果、燃費が向上し、省エネルギー化を図ることができる。
【図面の簡単な説明】
【００２５】
【図１】本発明の第１の実施の形態における船舶を斜め左舷上方の後方から見た図である。
【図２】図１の船舶における水面上構造物としての船体の後部側の側面図である。
【図３】図１の船舶における水面上構造物としての船体の水平断面の船尾側形状を示した平面図である。
【図４】本発明の第２の実施の形態における船舶の右側面図である。
【図５】図４の船舶における水面上構造物としての上部構造物を斜め上方の前方から見た図である。
【図６】図４の船舶の船尾部分の右側面図である。
【図７】図４の船舶の船尾部分の水平断面図である。
【図８】図４の船舶の上部構造物の後側の側壁部と船体の側壁部との平面視における角度の関係を示す模式的な平面図である。
【図９】本発明の第３の実施の形態における船舶の右側面図である。
【図１０】図９の船舶における、船体の側壁部の平面視における角度の関係を示す模式的な平面図である。
【発明を実施するための形態】
【００２６】
以下、図面を参照して本発明に係る風圧抵抗の少ない船舶の実施の形態について説明する。ここでは、第１の実施の形態では自動車運搬船（自動車専用船）を例にして説明し、第２の実施の形態では上甲板より上に設けられた居住区兼船橋の上部構造物を有する貨物船を例にして説明している。しかしながら、本発明は、自動車運搬船や貨物船のみならず、客船等の他の船舶にも適用できる。なお、ステルス技術のために船体を覆いでカバーしている艦艇を除くために、船舶の航海速力Ｖに関係するフルード数Ｆｎが、０．１３〜０．３０の船舶としている。なお、船首垂線Ｆ．Ｐ．と船尾垂線Ａ．Ｐ．の間の距離を垂線間長Ｌｐｐという。
【００２７】
先ず、第１の実施の形態の風圧抵抗の少ない船舶（以下船舶という）について説明する。図１〜図３に示すように、この第１の実施形態の船舶１は、自動車運搬船を例にしたものであり、船体２の船首から船尾にわたって、自動車を固定して搬送するために、階層構造の複数の甲板を有し、最上部の甲板である上甲板３には、マスト４や煙突５は設けるが、船橋や居住区等の船楼を設けない。この船舶１では、船橋も居住区も上甲板３より下に設け、上甲板３より上にはできるだけ突出するものを設けず、風圧抵抗を減少させる。例えば、船橋は上甲板３より下で見晴らしがよい船首部に設け、居住区はエンジンのある機関室に近い船尾側に設ける。
【００２８】
また、水面より下には、船首側に船首バルブ２ａが、船尾側にプロペラ６と舵７が設けられている。この図１の船舶１では１軸１舵となっているが、これに限定されることなく、２軸２舵の多軸船等であってもよい。
【００２９】
この構成では、船首部では、船首前縁上端から上甲板３に向かって上向きの傾斜面３ａを形成する。この傾斜面３ａは、水平面に対する上向き角度が２０度（ｄｅｇｒｅｅ）〜６０度で、好ましくは３８度になるように形成される。これにより、風の流れが船首前縁上端から上甲板３に向かって流れる際に、上甲板３の部分における剥離と渦の発生を抑制して、風圧抵抗を低減する。
【００３０】
船体２の上甲板３と舷側部８とがなす角部に、船首から船尾のほぼ全長にわたって切欠段部９を設ける。この切欠段部９は、図１に示すように、船体中央における、上甲板から船底（キールライン）までの深さＤからバラスト喫水ｄｂを引き算したバラスト状態における乾舷ｆｂの５〜２０％の深さｄｓと幅ｂｓを有して形成される。例えば、積み荷となる自動車１台〜２台分の幅で、方形状に切り欠くことによって形成される。
【００３１】
この切欠段部９により斜め方向の風に対して上甲板３と舷側部８とを結ぶ角部での剥離及び渦の発生が抑制されて、風圧による抵抗、横力、ヨーモーメントが軽減される。なお、この切欠段部９は、船首から船尾のほぼ全長にわたって設けると効果が大きいが、船首からほぼ船体中央部までの範囲にわたって設けてもよい。
【００３２】
また、図１の構成では、船体２の舷側部８の水面上の部分（水面上構造物）の船尾に、自動車の荷役を行うためのランプウエイ用の開口部とその扉１０を設けている。また、船体２の中央部付近の舷側部８にも自動車の荷役を行うためのランプウエイ用の開口部とその扉を設けてもよい。
【００３３】
図１〜図３に示すように、この水面上の船体である水面上構造物２において、船体２の最大幅Ｂｍａｘの船尾側最後部における船体中心線Ｌｃ上の点を第１位置Ｐ１とし、この第１位置Ｐ１と船体２の最後尾Ｐａとの間を船尾側第１範囲Ｒｘ１とする。また、水面上構造物２の上下方向の任意の連続部分での５０％以上かつ１００％以下、好ましくは４０％以上かつ１００％以下の範囲を上下第１範囲Ｒｚ１とする。この水面上構造物２の船尾側第１範囲Ｒｘ１で、かつ、上下第１範囲Ｒｚ１を船尾特定範囲Ｓａ１（図１及び図２のクロスハッチング部分）とする。なお、この上下方向の全範囲としては、水面位置を下端とし、マスト４と煙突５などを除いた船体２の最上部までとし、上部構造物（図示しない）が有る場合はその最上部までとする。
【００３４】
そして、この船尾特定範囲Ｓａ１における水面に平行な各水平断面Ｓｈ（ｚ）で、船体中心線Ｌｃ上の仮想点Ｐ２（ｚ）から船体２の前後方向Ｘの船首方向（プラスＸ方向）に対して第１角度α１で延びる線を第１傾斜線Ｌ１とし、仮想点Ｐ２（ｚ）から船体２の前後方向Ｘの船首方向（プラスＸ方向）に対して第２角度α２で延びる線を第２傾斜線Ｌ２とする。さらに、ここで、第１角度α１を５０度（ｄｅｇｒｅｅ）、好ましくは５５度とし、第２角度α２を８０度、好ましくは６５度とする。また、第１傾斜線Ｌ１と第２傾斜線Ｌ２との間を扇形領域Ｒα（ｚ）とする。
【００３５】
上記の条件の下で、仮想点Ｐ２（ｚ）を船体中心線Ｌｃ上で移動させて、扇形領域Ｒα（ｚ）を船体の前後方向Ｘに移動させたときに、水平断面Ｓｈ（ｚ）の外形線Ｌｓ（ｚ）の長さの５０％以上１００％以下の長さ、好ましくは６０％以上１００％以下の長さの外形線Ｌｓ（ｚ）が扇形領域Ｒα（ｚ）に入るような仮想点Ｐ２（ｚ）の位置があるように構成する。言い換えれば、船体中心線Ｌｃ上の適当な位置に仮想点Ｐ２（ｚ）を設けた場合に、仮想点Ｐ２（ｚ）を頂点とする扇形領域Ｒα（ｚ）の内部に水平断面Ｓｈ（ｚ）の外形線Ｌｓ（ｚ）の長さの５０％以上１００％以下の長さ、好ましくは６０％以上１００％以下の長さの外形線Ｌｓ（ｚ）が入る構成とする。
【００３６】
この構成によれば、水面上の船体２の水面上構造物の船尾形状を、片舷側の角度αが４０度（ｄｅｇｒｅｅ）〜８０度、好ましくは５５度〜６５度の比較的大きく開いたＶ字形状とすることができる。この船尾形状にすると、船尾の流れが翼の後端の流れに類似した流れとなり、斜め向かい風のときに翼と同じく、揚力を発生できるようになる。
【００３７】
つまり、この船尾形状を持つ船体２により、斜め向かい風のときに船尾における風の抜けがよくなり、水面上構造物２の後方への流れが円滑になると共に、この水面上構造物２の部分が翼の機能を発揮して揚力を発生させることができる。この揚力の船体２の前後方向Ｘの成分により船舶１の推力を得ることができる。なお、この揚力及び推力の発生は、風洞実験の結果で確認されている。
【００３８】
この自動車運搬船や客船などのように、暴露甲板上に起立する上部構造物が殆んどないか、非常に小さくて、水面上の部分が、水面から船体２がそのまま上に延びたような形状をした船舶では、この船首から船尾までの船体２が、翼形状に類似した形状となるので、船尾形状を翼の後端とほぼ同じ機能を持つような形状とすることで、斜め向風において発生する揚力を大きくすることができ、この揚力から推力を得ることができる。
【００３９】
また、この構成によれば、斜め向風に対して、船体２の船尾側における風の抜けがよくなるので、船体２の船尾部分における渦流の発生を少なくして、この部分での風による船体横方向Ｙの風力を小さくすることができ、船体２に作用する風による旋回モーメントを減少することができる。これにより、旋回モーメントを相殺するための当舵の角度を小さくすることができ、この面からも推進効率を向上することができ、また、操縦性も向上することができる。
【００４０】
また、船体２の鈍角的な船尾側形状により、全長が同じ船舶であれば、容積が増えて、その分積載量が多くなるというメリットもある。
【００４１】
また、水面上構造物２の船尾側を形成する船尾特定範囲Ｓａ１の側壁部（舷側部）８を、上下第１範囲Ｒｚ１の各水平断面Ｓｈ（ｚ）の形状において、凹凸の幅が船体２の最大幅Ｂｍａｘの５％以下となる滑らかな曲線状の部分、又は、凹凸の幅が船体２の最大幅Ｂｍａｘの５％以下となる直線部分、又は、両者の組み合わせで形成することが好ましい。この構成にすることにより、この曲線状の部分又は直線状の部分で流れに剥離が生じて大きな渦が発生することを抑制することができる。
【００４２】
また、水面上構造物２の船尾側を形成する側壁部８を、船尾側第１範囲Ｒｘ１かつ上下第１範囲Ｒｚ１において、水平面に対して３０度以上かつ９０度以下の傾斜角βを有するように形成していると、水面上構造物２の船尾側を形成する船尾側上面の上甲板３と側壁部８との角部で生じる渦流を抑制することができる。なお、この側壁部８は、水面上の全体又は上側の一部分が外側に凸となる曲面状に形成すると、水面上構造物２の上側（デッキや船橋の上面等）を流れてきた空気流れが、この側壁部８の曲面に沿って下降できて、渦流などの発生による抵抗増加を抑制できるようにしてもよい。この場合には、曲面上の各点における接面が水平面となす角度を傾斜角βとする。
【００４３】
この傾斜角βを３０度より小さくすると、船尾側部分の下部が大きく船尾方向に延びることになり、９０度より大きくし過ぎると、実用的ではなくなる。また、更に、この上甲板３と側壁部８との角部に角取り又は丸めを設けることにより、より効果的に渦流を抑制することができるようになる。
【００４４】
次に、第２の実施の形態の風圧抵抗の少ない船舶（以下船舶という）について説明する。図４〜図８に示すように、この第２の実施形態の船舶１Ａは、貨物船（ここではバルカー）を例にしたものであり、船尾部の上甲板３の上に艦橋２１と居住区２２を備えた上部構造物２０が配置されている船尾船橋船である。この貨物船としては、バルカー、タンカー、一般貨物船等の居住区が船尾にある船舶が例としてある。この上部構造物２０の上面には、マスト４や煙突５が設けられ、さらには、船橋２１の両舷側に航海船橋甲板の一部で船側に張り出している部分であるナビゲーションウイング（ドジャー）２１ａが設けられている。
【００４５】
図４〜図８に示すように、上甲板３上に設けた上部構造物２０である水面上構造物２０において、上部構造物２０の最大幅Ｂｍａｘの船尾側最後部における船体中心線Ｌｃ上の点を第１位置Ｐ１とし、この第１位置Ｐ１と船体２の最後尾Ｐａとの間を船尾側第１範囲Ｒｘ１とする。また、水面上構造物２０の上下方向の５０％以上かつ１００％以下、好ましくは４０％以上かつ１００％以下の範囲を上下第１範囲Ｒｚ１とする。この上下方向の全範囲としては、上部構造物２０の下端、即ち、上甲板３の上面から、マスト４と煙突５などを除いた上部構造物２０の最上部までとする。
【００４６】
そして、水面上構造物２０の船尾側第１範囲Ｒｘ１で、かつ、上下第１範囲Ｒｚ１を船尾特定範囲Ｓａ１（図４〜図６のクロスハッチング部分）とする。この船尾特定範囲Ｓａ１における水面に平行な各水平断面Ｓｈ（ｚ）で、船体中心線Ｌｃ上の仮想点Ｐ２（ｚ）から船体２の前後方向Ｘの船首方向（プラスＸ方向）に対して第１角度α１で延びる線を第１傾斜線Ｌ１とし、仮想点Ｐ２（ｚ）から船体２の前後方向Ｘの船首方向（プラスＸ方向）に対して第２角度α２で延びる線を第２傾斜線Ｌ２とする。さらに、ここで、第１角度α１を５０度（ｄｅｇｒｅｅ）、好ましくは５５度とし、第２角度α２を８０度、好ましくは６５度とする。また、第１傾斜線Ｌ１と第２傾斜線Ｌ２との間を扇形領域Ｒα（ｚ）とする。
【００４７】
上記の条件の下で、仮想点Ｐ２（ｚ）を船体中心線Ｌｃ上で移動させて、扇形領域Ｒα（ｚ）を船体２の前後方向Ｘに移動させたときに、水平断面Ｓｈ（ｚ）の外形線Ｌｓ（ｚ）の長さの５０％以上１００％以下の長さ、好ましくは６０％以上１００％以下の長さの外形線Ｌｓ（ｚ）が扇形領域Ｒα（ｚ）に入るような仮想点Ｐ２（ｚ）の位置があるように構成する。言い換えれば、船体中心線Ｌｃ上の適当な位置に仮想点Ｐ２（ｚ）を設けた場合に、仮想点Ｐ２（ｚ）を頂点とする扇形領域Ｒα（ｚ）の内部に水平断面Ｓｈ（ｚ）の外形線Ｌｓ（ｚ）の長さの５０％以上１００％以下の長さ、好ましくは６０％以上１００％以下の長さの外形線Ｌｓ（ｚ）が入る構成とする。
【００４８】
この構成によれば、上部構造物２０の水面上構造物２０の船尾形状を、片舷側の角度αが４０度（ｄｅｇｒｅｅ）〜８０度、好ましくは５５度〜６５度の比較的大きく開いたＶ字形状とすることができる。この船尾形状にすると、船尾の流れが翼の後端の流れに類似した流れとなり、斜め向かい風のときに翼と同じく、揚力を発生できるようになる。
【００４９】
つまり、この船尾形状を持つ上部構造物２０により、斜め向かい風のときに船尾における風の抜けがよくなり、水面上構造物２０の後方への流れが円滑になると共に、この水面上構造物２０の部分が翼の機能を発揮して揚力を発生させることができる。この揚力の船体２の前後方向Ｘの成分により船舶１の推力を得ることができる。なお、この揚力及び推力の発生は、風洞実験の結果で確認されている。
【００５０】
この第２の実施の形態の船舶１Ａのように、船尾部分に上部構造物２０を有する船舶では、上甲板３上にコンテナ船ではコンテナ（積載貨物）３０を、木材運搬船では木材等の積載するため、上甲板３の上の形状が全体として細長い形状となる。このような船舶では、この船首から船尾までの上部構造物２０と積載貨物３０とにより、翼形状に類似した形状となるので、上部構造物２０の船尾側形状を翼の後端とほぼ同じ機能を持つような形状とすることで、斜め向風において発生する揚力を大きくすることができ、この揚力から推力を得ることができる。
【００５１】
また、この構成によれば、斜め向風に対して、上部構造物２０の船尾側における風の抜けがよくなるので、この船尾側部分における渦流の発生を少なくして、この部分での風による船体横方向Ｙの風力を小さくすることができ、上部構造物２０に作用する風による旋回モーメントを減少することができる。これにより、旋回モーメントを相殺するための当舵の角度を小さくすることができ、この面からも推進効率を向上することができ、また、操縦性も向上することができる。この旋回モーメントに関する効果は、上部構造物２０の前方の上甲板３の上に積載貨物３０を積載していない状態でも発揮でき、推進効率と操縦性を向上することができる。
【００５２】
また、上部構造物２０の鈍角的な船尾側形状により、全長が同じ船舶であれば、容積が増えて、その分積載量が多くなるというメリットもある。
【００５３】
また、水面上構造物２０の船尾側を形成する船尾側第１範囲Ｒｘ１の側壁部（上部構造物１０の壁面）２８を、上下第１範囲Ｒｚ１の各水平断面Ｓｈ（ｚ）の形状において、凹凸の幅が上部構造物２０の最大幅Ｂｍａｘの５％以下となる滑らかな曲線状の部分、又は、凹凸の幅が上部構造物２０の最大幅Ｂｍａｘの５％以下となる直線部分、又は、両者の組み合わせで形成することが好ましい。この構成にすることにより、この曲線状の部分又は直線状の部分で流れに剥離が生じて大きな渦が発生することを抑制することができる。
【００５４】
また、水面上構造物２０の船尾側を形成する側壁部２８を、船尾側第１範囲Ｒｘ１かつ上下第１範囲Ｒｚ１において、水平面に対して３０度以上かつ９０度以下の傾斜角βを有するように形成していると、水面上構造物２０の船尾側を形成する船尾側上面２７と側壁部２８との角部で生じる渦流を抑制することができる。なお、この側壁部２８は、水面上の全体又は上側の一部分が外側に凸となる曲面状に形成することが好ましく、この場合には、曲面上の各点における接面が水平面となす角度を傾斜角βとする。
【００５５】
この傾斜角βを３０度より小さくすると、船尾側部分の下部が大きく船尾方向に延びることになり、９０度より大きくし過ぎると、実用的ではなくなる。また、更に、この船尾側上面２７と側壁部２８との角部に角取り又は丸めを設けることにより、より効果的に渦流を抑制することができるようになる。
【００５６】
また、この上部構造物２０を水面上構造物２０とした貨物船１Ａにおいては、船尾側第１範囲Ｒｘ１かつ上下第１範囲Ｒｚ１で、さらに次のように構成することが好ましい。
【００５７】
つまり、図８に示すように、各水平断面で上部構造物２０の側壁部２８の５０％以上を直線Ｌ３（ｚ）で形成して、この直線Ｌ３（ｚ）の船体中心線Ｌｃに対する第１角度α（ｚ）の上下方向Ｚに関しての上下第１範囲Ｒｚ１における平均値を第１平均角度αｍとする。また、上部構造物２０の下の船体２の側壁部(乾舷)８における上部構造物２０の前面よりも船尾側の２０％以上、好ましくは３０％以上、より好ましくは４０％以上を直線Ｌ４（ｚ）で形成する。
【００５８】
それと共に、この直線Ｌ４（ｚ）の船体中心線Ｌｃに対する第３角度θ（ｚ）の上下方向Ｚに関しての船体２の乾舷８の範囲における平均値を第３平均角度θｍとし、角度γ２を５度とする。このときに、第１平均角度αｍと第３平均角度θｍの関係を、（αｍ−γ２）≦θｍ≦（αｍ＋γ２）の関係とする。
【００５９】
これにより、この船尾側の上部構造物２０と船体２の乾舷８との間で、平面視における第１平均角度αｍと第３平均角度θｍとの間に大きな差が無くなるため、上部構造物２０と船体２との上下方向の流れによって乱される可能性が少なくなり、平面的な流れが維持され易くなるので、上部構造物２０と船体２のそれぞれによる翼形状の後端効果を発揮でき、斜め向風における船舶１Ａ全体の風圧抵抗の増加を抑制しつつ、揚力発生に起因する推進性能の向上を図ることができる。
渦流を抑制することができるようになる。
【００６０】
次に、第３の実施の形態の風圧抵抗の少ない船舶（以下船舶という）について説明する。図９及び図１０に示すように、この第３の実施形態の船舶１Ｂは、第１の実施の形態の船舶１において、さらに、船尾形状を限定したものである。なお、図９はコンテナ船の例である。
【００６１】
この船舶１Ｂは、コンテナ船などで上甲板３の上に艦橋２１と居住区２２を備えた上部構造物２０を持つが、この上部構造物２０が船体前後方向Ｘに関して船尾側ではなく、船首側や中間位置に配置されている船舶が主に対象となる。
【００６２】
この船体２を水面上構造物２とした船舶１Ｂにおいて、第１の実施の形態の船舶１と同様に、船尾側第１範囲Ｒｘ１と上下第１範囲Ｒｚ１を設けて、この船尾側第１範囲Ｒｘ１で、かつ、上下第１範囲Ｒｚ１を、船尾特定範囲Ｓａ１とし、この部分での船尾形状を次のように形成する。
【００６３】
つまり、船体（水面上構造物）２の船尾側の３０％以上を直線Ｌ４（ｚ）で形成し、この直線Ｌ４（ｚ）の船体中心線Ｌｃに対する第３角度θ（ｚ）の上下方向（Ｚ）に関しての平均値を第３平均角度θｍとし、角度γ２を２０度、好ましくは１０度、より好ましくは５度とし、θ１を５０度としたときに、第３平均角度θｍを、（θ１−γ２）≦θｍ≦（θ１＋γ２）の関係とする。
【００６４】
この構成によれば、コンテナ船などの上部構造物２０を船体前後方向Ｚにおいて前方又は中間に配置しているような船舶１Ｂにおいても、船体２の船尾形状で、翼形状の後端効果を発揮し易くすることができ、斜め向風における船舶全体の風圧抵抗の増加を抑制しつつ、揚力発生に起因する推進性能の向上を図ることができる。
【００６５】
また、コンテナ等の積載貨物３０の上甲板３上への配置の仕方により、積載時の貨物の全体としての形状を船体２の船尾形状に合わせたり、類似形状にしたりすることで、船体２の船尾側の翼形状の後端効果に加えて、上甲板３上の積載時の積載貨物３０の全体としての形状においても、翼形状の後端効果を発揮させることができるようになる。
【００６６】
上記の構成の船舶１、１Ａ、１Ｂによれば、水面上の風圧面積が比較的大きく、風圧力の影響を受け易い自動車運搬船、客船、コンテナ船、木材運搬船などにおいて、斜め向かい風の影響を低減するとともに、船体２又は上部構造物２０とコンテナ等の積載貨物３０で形成する水面上構成物２、２０で揚力を発生し、この揚力の船体２の前後方向Ｘの成分から推力を得ることできて、船舶１、１Ａ、１Ｂの推進性能を向上することができる。その結果、燃費が向上し、省エネルギー化を図ることができる。
【符号の説明】
【００６７】
１、１Ａ、１Ｂ  船舶
２  船体（水上構造物）
３  上甲板
８  舷側部
２０  上部構造物
２１  艦橋
２２  居住区
３０  積載貨物(コンテナ)
Ａ．Ｐ．  船尾垂線
Ｂｍａｘ  最大幅
Ｆ．Ｐ．  船首垂線
Ｌ１  第１傾斜線
Ｌ２  第２傾斜線
Ｌｃ  船体中心線
Ｌｐｐ  垂線間長
Ｌｓ（ｚ）  水平断面の外形線
Ｐ１  第１位置
Ｐ２  仮想点
Ｐａ  船体の最後尾
Ｒｘ１  船尾側第１範囲
Ｒｚ１  上下第１範囲
Ｒα（ｚ）  扇形領域
Ｓａ１  船尾特定範囲
Ｓｈ（ｚ）船尾特定範囲における水平断面
Ｘ  船体の前後方向
Ｙ  船体の左右方向
Ｚ  船体の上下方向
α  片舷側の角度
α１  第１角度
α２  第２角度
β  傾斜角
θ  第３角度
【図１】
2019209821.tif 000003
【図２】
2019209821.tif 000004
【図３】
2019209821.tif 000005
【図４】
2019209821.tif 000006
【図５】
2019209821.tif 000007
【図６】
2019209821.tif 000008
【図７】
2019209821.tif 000009
【図８】
2019209821.tif 000010
【図９】
2019209821.tif 000011
【図１０】
2019209821.tif 000012